(57)【要約】【課題】アシスト器具又は荷物保持用のハンド部において、荷物の横側部の外側部にハンド部を外側から取り付けることが困難な大きな荷物に対応できるようにする。【解決手段】ハンド部２０において、索状体（吊り下げ機構）に接続された基部３０と、基部３０の横側部分に設けられて、作業者が持つ持ち手部４０（持ち手取付部３６）と、持ち手部４０（持ち手取付部３６）と同じ側に向くように基部３０に設けられて荷物を保持する外保持部３１とを備える。【選択図】図１０
2019094143.tif 000002
【特許請求の範囲】
【請求項１】
作業者に取り付けられる本体部と、前記本体部から前側に延出されたアーム部と、前記アーム部から下側に延出された索状体と、前記索状体の延出端に接続されて荷物を保持するハンド部とが備えられ、
前記ハンド部に、
前記索状体に接続された基部と、
前記基部の横側部分に設けられて、作業者が持つ持ち手部と、
前記持ち手部と同じ側に向くように前記基部に設けられて、荷物を保持する外保持部とが備えられているアシスト器具。
【請求項２】
前記外保持部が、前記基部における前記持ち手部よりも下側部分に設けられている請求項１に記載のアシスト器具。
【請求項３】
前記持ち手部の反対側に向くように前記基部に設けられて、荷物を保持する内保持部が備えられている請求項１又は２に記載のアシスト器具。
【請求項４】
前記内保持部が、前記基部における前記持ち手部よりも下側部分に設けられている請求項３に記載のアシスト器具。
【請求項５】
吊り下げ機構に接続される基部と、
前記基部の横側部分に設けられて、作業者が持つ持ち手部が取り付けられる持ち手取付部と、
前記持ち手取付部と同じ側に向くように前記基部に設けられて、荷物を保持する外保持部とが備えられている荷物保持用のハンド部。
【請求項６】
前記外保持部が、前記基部における前記持ち手取付部よりも下側部分に設けられている請求項５に記載の荷物保持用のハンド部。
【請求項７】
前記持ち手取付部の反対側に向くように前記基部に設けられて、荷物を保持する内保持部が備えられている請求項５又は６に記載の荷物保持用のハンド部。
【請求項８】
前記内保持部が、前記基部における前記持ち手取付部よりも下側部分に設けられている請求項７に記載の荷物保持用のハンド部。
【発明の詳細な説明】
【技術分野】
【０００１】
本発明は、作業者に装着されて荷物の持ち運びを補助するアシスト器具や、建物の天井部に支持されたウインチ及びアシスト器具等において吊り下げるように使用される荷物保持用のハンド部に関する。
【背景技術】
【０００２】
作業者に装着されて使用されるアシスト器具、及びアシスト器具に使用される荷物保持用のハンド部として、特許文献１に開示されているものがある。
特許文献１では、作業者に取り付けられる本体部から前側にアーム部が延出されて、アーム部から下側に延出されたワイヤ（索状体及び吊り下げ機構に相当）に、ハンド部が接続されており、作業者はハンド部を手で持ちながら、ハンド部により荷物を保持する。
【０００３】
特許文献１のハンド部は、断面がチャンネル状に形成されており、右及び左のハンド部の開放側部分が、互いに向かい合う状態となっている。アシスト器具を装着した作業者は手を前に出して、ハンド部の開放側部分の反対側部分を持つ状態となる。
【０００４】
特許文献１では、荷物として、ビールケース等のような荷物が想定される。荷物の右の横側部の外側部に、右のハンド部を外側から取り付け、荷物の左の横側部の外側部に、左のハンド部を外側から取り付けることによって、ハンド部により荷物を保持する。
【先行技術文献】
【特許文献】
【０００５】
【特許文献１】特開２０１７−９４４２４号公報
【発明の概要】
【発明が解決しようとする課題】
【０００６】
ビールケース等のように、作業者の肩幅程度の横幅の荷物に対して、例えば乗用車用のタイヤ等のように、大きな荷物がある。
このような大きな荷物では、荷物の右の横側部の外側部に右のハンド部を外側から取り付け、荷物の左の横側部の外側部に左のハンド部を外側から取り付けて、ハンド部により荷物を保持することが困難である。
【０００７】
本発明は、アシスト器具又は荷物保持用のハンド部において、荷物の横側部の外側部にハンド部を外側から取り付けることが困難な大きな荷物に対応できるようにすることを目的としている。
【課題を解決するための手段】
【０００８】
本発明のアシスト器具は、
作業者に取り付けられる本体部と、前記本体部から前側に延出されたアーム部と、前記アーム部から下側に延出された索状体と、前記索状体の延出端に接続されて荷物を保持するハンド部とが備えられ、
前記ハンド部に、
前記索状体に接続された基部と、
前記基部の横側部分に設けられて、作業者が持つ持ち手部と、
前記持ち手部と同じ側に向くように前記基部に設けられて、荷物を保持する外保持部とが備えられている。
【０００９】
本発明の荷物保持用のハンド部は、
吊り下げ機構に接続される基部と、
前記基部の横側部分に設けられて、作業者が持つ持ち手部が取り付けられる持ち手取付部と、
前記持ち手取付部と同じ側に向くように前記基部に設けられて、荷物を保持する外保持部とが備えられている。
【００１０】
荷物として、例えば乗用車用のタイヤにおいて、ホイールが取り付けられていない状態を想定すると、タイヤの外径は大きなものであっても、タイヤの中央の開口部（ホイールが取り付けられる開口部）の内径は、比較的小さなものとなる。
【００１１】
本発明によると、作業者が手を前に出して、ハンド部の持ち手部（ハンド部の持ち手取付部に取り付けられた持ち手部）を持つと、ハンド部の外保持部は手の甲側（外側）に向く状態となる。
これにより、横向きに置かれたタイヤに対して、作業者が手をタイヤの中央の開口部に向けることにより、タイヤのビード部（ホイールの外周部に取り付けられる部分）に、ハンド部の外保持部を取り付けることができる。
【００１２】
このことについて言い換えると、横向きに置かれたタイヤに対して、タイヤのトレッド部にハンド部を外側から取り付けるようなことを行わなくても、タイヤの中央の開口部（ビード部）という比較的狭い領域で、ハンド部をタイヤのビード部に取り付けて、ハンド部によりタイヤを無理なく保持することができる。
【００１３】
以上のように、本発明によると、乗用車用のタイヤ等のような大きな荷物であっても、荷物の中央部に開口部等のような部分があれば、ハンド部を開口部等に無理なく取り付けることができるのであり、ハンド部により荷物を適切に保持することができるようになって、アシスト器具及び荷物保持用のハンド部の作業性を向上させることができる。
【００１４】
本発明のアシスト器具において、
前記外保持部が、前記基部における前記持ち手部よりも下側部分に設けられていると好適である。
【００１５】
本発明の荷物保持用のハンド部において、
前記外保持部が、前記基部における前記持ち手取付部よりも下側部分に設けられていると好適である。
【００１６】
本発明によると、作業者がハンド部の持ち手部（ハンド部の持ち手取付部に取り付けられた持ち手部）を持った場合、作業者の手の下側に、ハンド部の外保持部が位置する状態となる。
【００１７】
これにより、例えば床に置かれた荷物に、ハンド部の外保持部を取り付けるような操作が無理なく行えるようになって、アシスト器具及び荷物保持用のハンド部の作業性を向上させることができる。
【００１８】
本発明のアシスト器具において、
前記持ち手部の反対側に向くように前記基部に設けられて、荷物を保持する内保持部が備えられていると好適である。
【００１９】
本発明の荷物保持用のハンド部において、
前記持ち手取付部の反対側に向くように前記基部に設けられて、荷物を保持する内保持部が備えられていると好適である。
【００２０】
本発明によると、作業者が手を前に出して、ハンド部の持ち手部（ハンド部の持ち手取付部に取り付けられた持ち手部）を持つと、ハンド部の内保持部は手の平側（内側）に向く状態となるので、荷物の横側部に、ハンド部の内保持部を外側から取り付けることが無理なく行える。
【００２１】
これにより、荷物の大きさや形状等に対応して、ハンド部の外保持部を荷物に取り付けたり、ハンド部の内保持部を荷物に取り付けたりして、ハンド部により荷物を保持することができるのであり、アシスト器具及び荷物保持用のハンド部の作業性を向上させることができる。
【００２２】
本発明のアシスト器具において、
前記内保持部が、前記基部における前記持ち手部よりも下側部分に設けられていると好適である。
【００２３】
本発明の荷物保持用のハンド部において、
前記内保持部が、前記基部における前記持ち手取付部よりも下側部分に設けられていると好適である。
【００２４】
本発明によると、作業者がハンド部の持ち手部（ハンド部の持ち手取付部に取り付けられた持ち手部）を持った場合、作業者の手の下側に、ハンド部の内保持部が位置する状態となる。
【００２５】
これにより、例えば床に置かれた荷物に、ハンド部の内保持部を取り付けるような操作が無理なく行えるようになって、アシスト器具及び荷物保持用のハンド部の作業性を向上させることができる。
【図面の簡単な説明】
【００２６】
【図１】作業者がアシスト器具を装着した状態での右側面図である。
【図２】作業者がアシスト器具を装着した状態での背面図である。
【図３】アシスト器具の斜視図である。
【図４】取付部の側面図である。
【図５】取付部の正面図である。
【図６】取付部にハンド部の接続部を接続した状態を示す側面図である。
【図７】ハンド部、持ち手部及び取付部の分解正面図である。
【図８】ハンド部、持ち手部及び取付部の正面図である。
【図９】ハンド部の斜視図である。
【図１０】ハンド部及び持ち手部の斜視図である。
【図１１】受け止め部の斜視図である。
【図１２】横向きに置かれたタイヤをハンド部により保持した状態を示す縦断背面図である。
【図１３】横向きに置かれたタイヤをハンド部により保持した状態を示す右側面図である。
【図１４】縦向きに置かれたタイヤをハンド部により保持した状態を示す縦断背面図である。
【図１５】縦向きに置かれたタイヤをハンド部により保持した状態を示す右側面図である。
【図１６】発明の実施の第１別形態において、ハンド部の正面図である。
【図１７】発明の実施の第２別形態において、ハンド部の正面図である。
【図１８】発明の実施の第３別形態において、ハンド部の正面図である。
【図１９】発明の実施の第４別形態において、ハンド部の正面図である。
【発明を実施するための形態】
【００２７】
図１〜図１９には、作業者が装着して使用するアシスト器具が示されている。
本発明の実施形態における前後方向及び左右方向は、特段の説明がない限り、以下のように記載している。作業者がアシスト器具を装着した状態において、作業者から視て前側が「前」であり、後側が「後」であり、右側が「右」であり、左側が「左」である。
【００２８】
（アシスト器具の全体構成及び本体部）
図１，２，３に示すように、アシスト器具には、作業者の背中部に取り付けられる本体部１、本体部１の上部から上側に延出され前側に延出された右及び左のアーム部２、本体部１の下部に設けられた右及び左の脚作用部３が備えられており、作業者への装着用の取付ベルト４、右及び左の肩ベルト５が備えられている。
【００２９】
本体部１は、右及び左の縦フレーム６、右及び左の縦フレーム６に亘って連結された支持板７等を備えて、枠状となっている。本体部１の下部に取付ベルト４が設けられ、支持板７の前面の上部及び下部に肩ベルト５が取り付けられている。支持板７の後面の上下中間部に制御装置８が取り付けられており、支持板７の後面の下部にバッテリー９が取り付けられている。
【００３０】
（脚作用部）
図１，２，３に示すように、脚作用部３は、基部１０、伝動ケース１１、操作アーム１２及び脚ベルト１３等を備えている。基部１０が、支持板７の下部の前部に、左右方向に取付位置を変更自在に支持されており、基部１０の外端部に伝動ケース１１が前向きに連結されている。
【００３１】
伝動ケース１１の前部の左右方向の横軸芯Ｐ１周りに、操作アーム１２が揺動自在に支持されており、幅広のベルト状の脚ベルト１３が操作アーム１２に取り付けられている。複数の平ギヤにより構成された伝動機構（図示せず）が伝動ケース１１の内部に備えられて、電動モータ（図示せず）が基部１０の内部に備えられており、電動モータにより伝動機構を介して操作アーム１２が横軸芯Ｐ１周りに揺動駆動される。
【００３２】
図１及び図２に示すように、作業者は脚ベルト１３を太腿部に巻き付けて、面ファスナ（図示せず）（マジックテープ（登録商標））により、脚ベルト１３を太腿部に取り付ける。作業者がアシスト器具を装着した状態において、作業者の腰部の右側に右の脚作用部３（伝動ケース１１）が位置し、作業者の腰部の左側に左の脚作用部３（伝動ケース１１）が位置する。
【００３３】
（アーム部及びワイヤ）
図１，２，３に示すように、右及び左の縦フレーム６の上部が、作業者の右及び左の肩部を越えて斜め上側に延出され斜め前側に延出されて、右及び左のアーム部２となっている。アーム部２の上端部に支持部材１６が取り付けられており、プーリー（図示せず）が支持部材１６に回転自在に支持されている。
【００３４】
支持板７の後面の上部に昇降装置１７が取り付けられており、昇降装置１７から、右の２本のワイヤ１８，１９（索状体に相当）（吊り下げ機構に相当）、及び左の２本のワイヤ１８，１９（索状体に相当）（吊り下げ機構に相当）が延出されている。
【００３５】
支持板７の上部にアウター支持部１５が連結され、支持部材１６にアウター支持部１６ａが備えられている。ワイヤ１８，１９のアウター１８ｂ，１９ｂの端部が、アウター支持部１５及び支持部材１６のアウター支持部１６ａに接続されて、ワイヤ１８，１９のインナー１８ａ，１９ａが昇降装置１７に接続されている。
【００３６】
右の２本のワイヤ１８，１９のインナー１８ａ，１９ａが、右の支持部材１６のプーリーに掛けられて下側に延出されている。右の２本のワイヤ１８，１９のインナー１８ａ，１９ａの延出端に取付部２１が接続されて、取付部２１に右のハンド部２０が接続されている。
【００３７】
左の２本のワイヤ１８，１９のインナー１８ａ，１９ａが、左の支持部材１６のプーリーに掛けられて下側に延出されている。左の２本のワイヤ１８，１９のインナー１８ａ，１９ａの延出端に取付部２１が接続されて、取付部２１に左のハンド部２０が接続されている。
【００３８】
（昇降装置）
図１及び図２に示すように、昇降装置１７は支持板７に連結されている。伝動機構（図示せず）を内装する上下向きの伝動ケース２５、伝動ケース２５の上部に横向きに連結された支持ケース２６、伝動ケース２５の下部に横向きに連結された電動モータ２７、支持ケース２６の内部で横向きの軸芯周りに回転自在に支持された４個の回転体（図示せず）が、昇降装置１７に備えられている。
【００３９】
ワイヤ１８，１９のアウター１８ｂ，１９ｂの端部がアウター支持部１５に接続され、ワイヤ１８，１９のインナー１８ａ，１９ａが、支持ケース２６の内部の４個の回転体の各々に接続されている。
【００４０】
制御装置８により電動モータ２７が作動する。電動モータ２７の動力が伝動ケース２５の内部の伝動機構を介して、支持ケース２６の内部の回転体に伝達されるのであり、回転体が巻き取り側及び繰り出し側に回転駆動される。
【００４１】
（取付部）
図４及び図５に示すように、取付部２１は平板状であり、ワイヤ１８，１９のインナー１８ａ，１９ａの延出端が、取付部２１に揺動自在に接続されている。取付部２１に、２本の頭付きのピン２２が横向きに連結されており、ピン２２は丸棒状の軸部２２ａと、軸部２２ａよりも大径の頭部２２ｂとを備えている。
【００４２】
取付部２１におけるピン２２の間の部分に、開口部２１ａが開口されており、外れ止め部材２８が、取付部２１におけるピン２２の間の部分に、連結ピン２９により連結されている。
【００４３】
外れ止め部材２８は、板バネを折り曲げて形成されており、取付部２１に連結ピン２９によって連結される基部２８ａ、基部２８ａから延出された凸部２８ｂを備えている。外れ止め部材２８の凸部２８ｂが、取付部２１の開口部２１ａに入り込んで、ピン２２の頭部２２ｂ側に突出している。
【００４４】
（ハンド部）
図１及び図２に示すように、アシスト器具において、右及び左のハンド部２０が備えられており、右及び左のハンド部２０は同じものである。
図７，８，９，１０に示すように、ハンド部２０は板材を折り曲げて形成されており、基部３０、外保持部３１、内保持部３２、上側部３３及び接続部３４を備えている。
【００４５】
基部３０は平板状に形成されて、中央部に開口部３０ａが開口されている。基部３０における上側部３３の反対側の面である横側部分３０ｂに、面ファスナ３６（持ち手取付部に相当）（マジックテープ（登録商標））が取り付けられている。
【００４６】
基部３０の上部が折り曲げられて、上側部３３が形成されており、上側部３３の上面に面ファスナ３６が取り付けられている。上側部３３の端部が上側に折り曲げられて、接続部３４が形成されている。
【００４７】
図６，９，１０に示すように、接続部３４に２個の第１開口部３８が開口されている。第１開口部３８の下側に位置して第１開口部３８に接続されるように、第１開口部３８よりも大径の第２開口部３９が開口されている。第１開口部３８及び第２開口部３９の間に開口部３４ａが開口されている。
【００４８】
図７，８，９，１０に示すように、基部３０の下部が、上側部３３の反対側に向くように折り曲げられて、外保持部３１が形成されており、外保持部３１が面ファスナ３６と同じ側に位置するように形成されて、外保持部３１の端部３１ａが上側に折り曲げられている。
【００４９】
平板状の内保持部３２が、外保持部３１の下面に当て付けられてボルト３５により固定されている。内保持部３２が、外保持部３１の反対側に向くように、上側部３３と同じ側に延出されており、内保持部３２の端部３２ａが上向きに折り曲げられている。
【００５０】
以上の構成により、ハンド部２０において、
複数の異なる向きで荷物を保持する保持部（外保持部３１及び内保持部３２）が備えられた状態となっている。
複数の異なる向きの各々に保持部（外保持部３１及び内保持部３２）が向くように、複数の保持部（外保持部３１及び内保持部３２）が、基部３０に固定された状態となっている。
第１の保持部（外保持部３１）の反対側に向くように、第２の保持部（内保持部３２）が、基部３０に固定された状態となっている。
第１及び第２の保持部（外保持部３１及び内保持部３２）が、基部３０の同じ高さの位置に固定された状態となっている。
基部３０から外保持部３１の端部３１ａまでの長さＬ１に比べて、基部３０から内保持部３２の端部３２ａまでの長さＬ２が、長いものに設定された状態となっている。
【００５１】
（持ち手部）
図７，８，１０に示すように、ハンド部２０の面ファスナ３６に取り付け及び取り外し自在な持ち手部４０が備えられている。持ち手部４０は、合成樹脂により一体的に形成された外側部４１と、金属製の内側部４２とを備えており、外側部４１の内面に内側部４２がビスにより連結されている。
【００５２】
内側部４２は、金属製の板材を折り曲げて形成されており、上下方向に配置される横側部４３、横側部４３の上部から横向きに延出される上側部４４、上側部４４の端部から上側に延出される横側部４５を備えている。
【００５３】
内側部４２において、横側部４３における上側部４４側の面に、面ファスナ３７（マジックテープ（登録商標））が取り付けられている。上側部４４の下面に、面ファスナ３７が取り付けられている。
【００５４】
右のハンド部２０に取り付けられる右の持ち手部４０、及び、左のハンド部２０に取り付けられる持ち手部４０は、左右対称の形状となっている。右の持ち手部４０（外側部４１）に、上昇操作スイッチ２３が取り付けられ、左の持ち手部４０（外側部４１）に、下降操作スイッチ２４が取り付けられている。
【００５５】
図１，２，３に示すように、制御装置８に接続された右及び左のハーネス１４が、右及び左のアーム部２の内部に入っており、アーム部２の内部を通ってアーム部２の上端部に延出されている。アーム部２の上端部の開口部から、ハーネス１４が出て下側に延出されており、右のハーネス１４が上昇操作スイッチ２３に接続され、左のハーネス１４が下降操作スイッチ２４に接続されている。
【００５６】
（ハンド部の取付部への取り付け及び取り外し）
図９及び図１０に示す基部３０の第１開口部３８及び第２開口部３９と、図４及び図５に示す取付部２１のピン２２の軸部２２ａ及び頭部２２ｂとにおいて、第１開口部３８はピン２２の軸部２２ａよりも少し大径であり、ピン２２の頭部２２ｂよりも小径である。第２開口部３９はピン２２の頭部２２ｂよりも大径である。
【００５７】
図７に示す状態は、ハンド部２０が取付部２１から取り外された状態である。
図６及び図８に示すように、第２開口部３９をピン２２（頭部２２ｂ）に対向させた状態で、外れ止め部材２８の凸部２８ｂを、手で押して取付部２１の開口部２１ａに入り込ませながら、ピン２２（軸部２２ａ及び頭部２２ｂ）を第２開口部３９に入り込ませる。
【００５８】
次に、取付部２１を少し上側に移動させて、ピン２２の軸部２２ａを、第２開口部３９から第１開口部３８に入り込ませる。ピン２２の軸部２２ａを第１開口部３８に入り込ませると、外れ止め部材２８の凸部２８ｂが、ハンド部２０の開口部３４ａに入り込んでピン２２の頭部２２ｂ側に突出して、外れ止め部材２８の凸部２８ｂが、ハンド部２０の開口部３４ａの下辺部に当たる状態となる。
【００５９】
以上の状態が、ハンド部２０を取付部２１に取り付けた状態である。
ピン２２の軸部２２ａが第１開口部３８から第２開口部３９に移動しようとしても、ハンド部２０の開口部３４ａの下辺部が外れ止め部材２８の凸部２８ｂに当たることによって、ピン２２の軸部２２ａの第２開口部３９への移動が止められて、ハンド部２０は取付部２１から外れ難いものとなる。
【００６０】
ハンド部２０により荷物を保持した場合、荷物の重量がハンド部２０に下向きに掛かることにより、ピン２２の軸部２２ａが、第１開口部３８に保持されて、第１開口部３８から第２開口部３９に移動し難くなるのであり、ハンド部２０は取付部２１から外れ難いものとなる。
【００６１】
ピン２２の軸部２２ａが第１開口部３８から抜け出そうとしても、ピン２２の頭部２２ｂによって、ピン２２の軸部２２ａは、第１開口部３８から抜け出すことはできないのであり、ハンド部２０は取付部２１から外れ難いものとなる。
【００６２】
ハンド部２０を取付部２１から取り外す場合、図６及び図８に示す状態において、外れ止め部材２８の凸部２８ｂを取付部２１の開口部２１ａに押し込むことにより、外れ止め部材２８の凸部２８ｂをハンド部２０の開口部３４ａの下辺部から外した状態とする。
【００６３】
この状態において、ピン２２の軸部２２ａを第１開口部３８から第２開口部３９に移動させ、ピン２２の頭部２２ｂを第２開口部３９から抜き出すことにより、ハンド部２０を取付部２１から取り外すことができる。
【００６４】
図７及び図８では、取付部２１をハンド部２０の接続部３４に対して上側部３３とは反対側に位置させた状態で、ハンド部２０を取付部２１に取り付けた状態となっている。
この場合、取付部２１をハンド部２０の接続部３４に対して上側部３３側に位置させた状態で、前述と同じ操作を行うことにより、ハンド部２０を取付部２１に取り付けることができる。
【００６５】
（持ち手部のハンド部への取り付け及び取り外し）
図７，８，１０に示すように、持ち手部４０の面ファスナ３７を、ハンド部２０の面ファスナ３６に当て付けて接続することにより、持ち手部４０をハンド部２０に取り付けることができるのであり、持ち手部４０を介して上昇操作スイッチ２３（下降操作スイッチ２４）がハンド部２０に取り付けられる。
【００６６】
面ファスナ３６，３７の接続範囲は比較的広いものであるので、ハンド部２０における持ち手部４０の取付位置を、面ファスナ３６，３７の接続範囲において任意に変更することができる。
【００６７】
この場合、持ち手部４０の上側部４４をハンド部２０の上側部３３に乗せるので、持ち手部４０をハンド部２０に取り付けた場合、持ち手部４０の下端部が、ハンド部２０（基部３０）の開口部３０ａの上辺部よりも少し上側に位置する状態となる。
【００６８】
持ち手部４０の面ファスナ３７をハンド部２０の面ファスナ３６から離すことにより、持ち手部４０がハンド部２０から取り外されるのであり、上昇操作スイッチ２３（下降操作スイッチ２４）がハンド部２０から取り外される。
【００６９】
前項の（ハンド部）（ハンド部の取付部への取り付け及び取り外し）に記載のように、図６，９，１０に示す第１開口部３８及び第２開口部３９、面ファスナ３６等の構成を備えたハンド部２０であれば、図７，８，９，１０に示すハンド部２０に代えて、別のハンド部２０を取付部２１に取り付けることができる（交換することができる）。
【００７０】
前述のように、取付部２１に各種のハンド部２０を取り付けた場合（交換した場合）、持ち手部４０の面ファスナ３７を、交換されたハンド部２０の面ファスナ３６に接続することにより、持ち手部４０（上昇操作スイッチ２３及び下降操作スイッチ２４）を、各種のハンド部２０に共用することができる。
【００７１】
以上の構成により、ハンド部２０において、
持ち手部４０が、基部３０の横側部分３０ｂに設けられて、外保持部３１が、持ち手部４０及び持ち手取付部（面ファスナ３６）と同じ側に向くように、基部３０に設けられた状態となっている。
内保持部３２が、持ち手部４０及び持ち手取付部（面ファスナ３６）の反対側に向くように、基部３０に設けられた状態となっている。
外保持部３１及び内保持部３２が、基部３０における持ち手部４０及び持ち手取付部（面ファスナ３６）よりも下側部分に設けられた状態となっている。
【００７２】
（受け止め部）
図３及び図１１に示すように、アシスト器具に、作業者の胸部又は腹部の前側に配置される受け止め部４６が備えられている。受け止め部４６は、前当て部４７と４本の取付部４８とを備えている。
【００７３】
前当て部４７は、可撓性を有する軟らかい合成樹脂製や布製のシート状の部材により形成されており、上部の２箇所及び下部の２箇所の４箇所に、バックル部材等の着脱部４９が取り付けられている。
【００７４】
取付部４８は、可撓性を有する紐状（細長いベルト状）の部材により形成されており、取付部４８の端部にバックル部材等の着脱部５０が取り付けられている。取付部４８の着脱部５０は、前当て部４７の着脱部４９に取り付け及び取り外し自在である。取付部４８の途中部分に固定具５１が取り付けられており、取付部４８において、着脱部５０の反対側の部分をループ状に巻いて、固定具５１により止めておくことができる。
【００７５】
図１，３，１３，１５に示すように、取付部４８を肩ベルト５及び取付ベルト４に巻き付け、固定具５１により取付部４８を止めることにより、取付部４８を肩ベルト５及び取付ベルト４に取り付けておく。
【００７６】
（作業者によるアシスト器具の装着）
図３に示すように、右及び左の肩ベルト５の上部に亘って、固定ベルト６２が取り付けられている。固定ベルト６２は、中間部分のバックル部材により左右に分離可能で、長さ調節自在である。
【００７７】
図１，２，３に示すように、固定ベルト６２を分離状態とし、前当て部４７（着脱部４９）を取付部４８（着脱部５０）から取り外した状態において、作業者は、作業者の腕部及び肩部を肩ベルト５に入れ、取付ベルト４を作業者の腰部に巻き付けて固定することにより、作業者の背中部に本体部１を取り付ける。
この後、固定ベルト６２を連結状態としておくことにより、右及び左の肩ベルト５が、作業者の腕部側に移動して肩部から外れるような状態が防止される。
【００７８】
固定ベルト６２を連結状態とした後、前当て部４７（着脱部４９）を取付部４８（着脱部５０）に取り付ける。これにより、受け止め部４６（前当て部４７）が、肩ベルト５及び取付ベルト４に支持された状態となり、作業者の胸部又は腹部の前側に位置する状態となる。
【００７９】
受け止め部４６において、固定具５１により止められる取付部４８の位置を調節することにより、取付部４８の長さを調節することができる。
これにより、受け止め部４６（前当て部４７）の位置を作業者の体格に合わせることができる。受け止め部４６（前当て部４７）の位置を、作業者に対して胸部側（上側）に位置させたり、腹部側（下側）に位置させたりすることができ、作業者に対して右側及び左側に位置させることができる。
【００８０】
作業者がアシスト器具を装着した状態において、アシスト器具及び荷物の重量が取付ベルト４を介して主に作業者の腰部に掛かるのであり、アシスト器具及び荷物の重量が作業者の腰部により安定して支持される。右及び左の肩ベルト５は、主に本体部１が作業者の背中部から後方に離れようとする状態を止める機能を発揮する。
【００８１】
（横向きに置かれたタイヤに対するハンド部の保持操作）
図１２に示すように、例えば乗用車用のタイヤＢ（荷物に相当）において、ホイールが取り付けられていないタイヤＢが、床等に横向きに置かれていたとする。
【００８２】
アシスト器具を装着した作業者が、作業者が右手（左手）を前に出して、右（左）のハンド部２０の持ち手部４０を持つと、右（左）のハンド部２０の外保持部３１は手の甲側（外側）に向く状態となる。
【００８３】
右手（左手）で握手をするように、右（左）のハンド部２０の持ち手部４０を持った場合、右手（左手）の人差し指〜小指を、右の（左）のハンド部２０（基部３０）の開口部３０ａ（図９及び図１０参照）に入れ、開口部３０ａの上辺部に下側から掛けるようにすると、右手（左手）で右（左）のハンド部２０をしっかりと持つことができる。
【００８４】
図１２に示すように、横向きに置かれたタイヤＢに対して、作業者が右手（左手）をタイヤＢの中央の開口部Ｂ２（ホイールが取り付けられる開口部）に向けて、右（左）のハンド部２０をタイヤＢの開口部Ｂ２に上側から入れながら、右（左）のハンド部２０の外保持部３１を、タイヤＢのビード部Ｂ１（ホイールの外周部に取り付けられる部分）に、タイヤＢの内側から取り付ける（掛ける）。
【００８５】
ハンド部２０において、外保持部３１の上側に持ち手部４０及び基部３０の開口部３０ａが位置しているので、ハンド部２０の外保持部３１をタイヤＢのビード部Ｂ１に取り付けても（掛けても）、作業者の右手（左手）がタイヤＢのサイドウォール部Ｂ４に当たることはない。
【００８６】
この後、後述する（制御装置による脚作用部及び昇降装置の作動）に記載のように、作業者が上昇操作スイッチ２３を押し操作することにより、ハンド部２０を上昇させて、タイヤＢを持ち上げる。
図１３に示すように、タイヤＢを持ち上げると、タイヤＢが作業者側に接近してくるので、タイヤＢのトレッド部Ｂ３を受け止め部４６（前当て部４７）に当てればよい。
【００８７】
これにより、タイヤＢが作業者の胸部や腹部に直接に当たる状態とはならないので、タイヤＢによって作業者の衣服が汚れる状態を防止するができる。
ワイヤ１８，１９によりタイヤＢが吊り下げられた状態において、タイヤＢのトレッド部Ｂ３が、受け止め部４６（前当て部４７）を介して、作業者の胸部や腹部に当たる状態となるので、受け止め部４６（前当て部４７）によりタイヤＢの振れが抑えられる。
【００８８】
（縦向きに置かれたタイヤに対するハンド部の保持操作）
図１４に示すように、ホイールが取り付けられていないタイヤＢが、床等に縦向きに置かれていたとする。
【００８９】
アシスト器具を装着した作業者が、作業者が右手（左手）を前に出して、右（左）のハンド部２０の持ち手部４０を持つと、右（左）のハンド部２０の内保持部３２は手の平側（内側）に向く状態となる。
【００９０】
図１４に示すように、縦向きに置かれたタイヤＢに対して、右（左）のハンド部２０の内保持部３２を、タイヤＢの開口部Ｂ２に外側から入れながら、右（左）のハンド部２０の内保持部３２を、タイヤＢのビード部Ｂ１に、タイヤＢの外側から取り付ける（掛ける）。
【００９１】
ハンド部２０において、内保持部３２の反対側（外側）に持ち手部４０及び基部３０の開口部３０ａ（図９及び図１０参照）が位置しているので、ハンド部２０の内保持部３２をタイヤＢのビード部Ｂ１に取り付けても（掛けても）、作業者の右手（左手）がタイヤＢのサイドウォール部Ｂ４に当たることはない。
【００９２】
タイヤＢでは、断面視でタイヤＢのサイドウォール部Ｂ４が内側に回り込んでおり、タイヤＢのビード部Ｂ１が内側に入り込んだ状態となっている。
図８及び図１４に示すように、ハンド部２０において、基部３０から外保持部３１の端部３１ａまでの長さＬ１に比べて、基部３０から内保持部３２の端部３２ａまでの長さＬ２が長いものに設定されているので、タイヤＢのビード部Ｂ１が内側に入り込んでいても、ハンド部２０の内保持部３２をタイヤＢのビード部Ｂ１に無理なく取り付けることができる（掛けることができる）。
【００９３】
この後、後述する（制御装置による脚作用部及び昇降装置の作動）に記載のように、作業者が上昇操作スイッチ２３を押し操作することにより、ハンド部２０を上昇させて、タイヤＢを持ち上げる。
図１５に示すように、タイヤＢを持ち上げると、タイヤＢが作業者側に接近してくるので、タイヤＢのトレッド部Ｂ３を受け止め部４６（前当て部４７）に当てればよい。
【００９４】
横向きに置かれたタイヤＢに対するハンド部２０の保持操作を行い、縦向きに置かれたタイヤＢに対するハンド部２０の保持操作を行わない場合は、図７，８，９，１０に示すように、ハンド部２０において、ボルト３５を外して、内保持部３２を取り外せばよい。
【００９５】
これにより、図１２に示すように、横向きに置かれたタイヤＢに対して、右（左）のハンド部２０をタイヤＢの開口部Ｂ２に上側から入れる際、右（左）のハンド部２０に内保持部３２が無いので、右（左）のハンド部２０の外保持部３１を、タイヤＢのビード部Ｂ１に無理なく取り付けることができる（掛けることができる）。
【００９６】
（制御装置による脚作用部及び昇降装置の作動）
図１及び図２に示すように、上昇操作スイッチ２３を押し操作した場合、上昇操作スイッチ２３を押し操作している間、後述する（アシスト器具の作業形態）に記載のように、脚作用部３において、電動モータにより操作アーム１２が下側に駆動されて、作業者の太腿部が下側に操作される。
【００９７】
上昇操作スイッチ２３を押し操作した場合、上昇操作スイッチ２３を押し操作している間、昇降装置１７において、電動モータ２７により回転体が巻き取り側に回転駆動され、ワイヤ１８，１９のインナー１８ａ，１９ａが回転体に巻き取られて、ハンド部２０が上昇する。
【００９８】
下降操作スイッチ２４を押し操作した場合、下降操作スイッチ２４を押し操作している間、昇降装置１７において、電動モータ２７により回転体が繰り出し側に回転駆動され、ワイヤ１８，１９のインナー１８ａ，１９ａが回転体から繰り出されて、ハンド部２０が下降する。
【００９９】
上昇操作スイッチ２３及び下降操作スイッチ２４の押し操作を止めると、昇降装置１７において、電動モータ２７が停止する。
電動モータ２７に電磁ブレーキ（図示せず）が備えられており、電動モータ２７の作動時に電磁ブレーキは自動的に解除状態となり、電動モータ２７の停止時及び非通電時に電磁ブレーキは自動的に制動状態となる。
【０１００】
これにより、電動モータ２７が停止した状態において、昇降装置１７からワイヤ１８，１９のインナー１８ａ，１９ａが繰り出されることはなく、ハンド部２０に荷物の重量が掛かっても、ハンド部２０が下降することはない。
【０１０１】
脚作用部３において、電動モータが停止状態になると、電動モータは自由回転状態となる。これにより、作業者が歩行する場合や、作業者が腰部を下に曲げたり、膝部を曲げて腰部を落としたりする場合、作業者の太腿部に追従するように操作アーム１２が揺動するのであり、作業者の動作が妨げられることはない。
【０１０２】
（アシスト器具の作業形態）
例えばパレットや床に置かれた荷物を高い棚やトラックの荷台に置くような場合、作業者が腰部を下に曲げたり、膝部を曲げて腰部を落としたりして、パレットや床の荷物を手で持ち、手を下に延ばした状態で荷物を持ちながら、腰部を上側に延ばしたり、立ち上がったりして、手で荷物を持ち上げて、荷物を高い棚やトラックの荷台に置くような状態が想定される。
【０１０３】
アシスト器具を装着した作業者が前述のような作業を行う状態において、上昇操作スイッチ２３及び下降操作スイッチ２４の押し操作に基づいて、制御装置８により脚作用部３及び昇降装置１７が作動する状態について説明する。
【０１０４】
図１及び図２に示すように、作業者がアシスト器具を装着した状態において、作業者が上昇操作スイッチ２３及び下降操作スイッチ２４の両方を押し操作していないと、昇降装置１７の電動モータ２７は停止して、脚作用部３の電動モータは停止状態（自由回転状態）となる。
【０１０５】
作業者が腰部を下に曲げて（膝部を曲げて腰部を落として）、パレットや床の荷物を持つ場合、作業者が下降操作スイッチ２４を押し操作すると、昇降装置１７において電動モータ２７が繰り出し側に作動し、ワイヤ１８，１９のインナー１８ａ，１９ａが繰り出されて、ハンド部２０が下降する。
【０１０６】
下降操作スイッチ２４の押し操作を止めると、電動モータ２７が停止して、ハンド部２０が停止するので、作業者は、前項の（横向きに置かれたタイヤに対するハンド部の保持操作）（縦向きに置かれたタイヤに対するハンド部の保持操作）に記載のようにして、ハンド部２０により荷物を保持する。
【０１０７】
作業者は、ハンド部２０により荷物を保持した状態で、腰部を上に延ばすことにより（立ち上がることにより）、荷物を持ち上げる。作業者が上昇操作スイッチ２３を押し操作すると、脚作用部３において操作アーム１２が下側に駆動され、作業者の太腿部が下側に操作されて、腰部を上に延ばすこと（立ち上がること）が補助される。
【０１０８】
作業者が上昇操作スイッチ２３を押し操作した状態で立ち上がった後に、脚作用部３において、操作アーム１２が略真下に向く位置に達したことが検出されると、作業者が起立した（立ち上がった）と判断されて、脚作用部３の電動モータは停止状態（自由回転状態）となる。
【０１０９】
次に昇降装置１７において、電動モータ２７が巻き取り側に作動し、ワイヤ１８，１９のインナー１８ａ，１９ａが巻き取られて、ハンド部２０が上昇する。所望の位置までハンド部２０が上昇すると、上昇操作スイッチ２３の押し操作を止めることにより、電動モータ２７が停止してハンド部２０が停止する。
【０１１０】
作業者は、荷物を置くべき高い棚やトラックの荷台等へ歩いて移動する。作業者が高い棚やトラックの荷台等に到着して、作業者が下降操作スイッチ２４を押し操作すると、昇降装置１７において、電動モータ２７が繰り出し側に作動し、ワイヤ１８，１９のインナー１８ａ，１９ａが繰り出されて、ハンド部２０が下降する。
【０１１１】
作業者は、荷物を高い棚やトラックの荷台等に置いて、ハンド部２０を荷物から取り外す。荷物を高い棚やトラックの荷台等に置くと、最初の状態に戻るので、次の荷物に対して同様な操作を行う。
【０１１２】
（発明の実施の第１別形態）
ハンド部２０を、以下の説明のように構成してもよい。
図１６に示すように、ハンド部２０は、板材を折り曲げて形成されており、基部３０、外保持部３１、内保持部３２、上側部３３及び接続部３４，５３を備えている。
【０１１３】
基部３０は平板状に形成されており、基部３０における上側部３３の反対側の面である横側部分３０ｂに、面ファスナ３６が取り付けられている。基部３０の上部が折り曲げられて、上側部３３が形成されており、上側部３３の上面に面ファスナ３６が取り付けられている。
【０１１４】
上側部３３の端部が上側に折り曲げられて、接続部３４が形成されている。図６，９，１０と同様な２個の第１開口部３８、２個の第２開口部３９及び開口部３４ａが、接続部３４に開口されている。
【０１１５】
基部３０の下部が上側部３３と同じ側に向くように折り曲げられて、内保持部３２が形成されており、内保持部３２が面ファスナ３６の反対側に位置するように形成されて、内保持部３２の端部３２ａが上側に折り曲げられている。
【０１１６】
内保持部３２の端部３２ａか下側に折り曲げられて、接続部５３が、内保持部３２の端部３２ａから下側に延出されている。
接続部５３の下部が内保持部３２の反対側に向くように折り曲げられて、外保持部３１が形成されており、外保持部３１が面ファスナ３６と同じ側に位置するように形成され、外保持部３１の端部３１ａが上側に折り曲げられている。
【０１１７】
ハンド部２０において、基部３０から内保持部３２の端部３２ａまでの長さＬ３と、接続部５３から外保持部３１の端部３１ａまでの長さＬ４とが、略同じ長さに設定されている。
これにより、平面視で上側部３３、内保持部３２及び外保持部３１とが重複して、上下に重なるように配置される状態となっており、ハンド部２０の全体の横幅が小さなものとなっている。
【０１１８】
（発明の実施の第２別形態）
前述の（発明の実施の第１別形態）のハンド部２０において、図１７に示すように、基部３０から内保持部３２の端部３２ａまでの長さＬ３を、接続部５３から外保持部３１の端部３１ａまでの長さＬ４よりも長いものに設定してもよい。
これに加えて、上側部３３から内保持部３２までの長さＬ５を、内保持部３２から外保持部３１までの長さＬ６よりも長いものに設定してもよい。
【０１１９】
これにより、図１４に示すように、縦向きに置かれたタイヤＢをハンド部２０により保持する場合、タイヤＢのサイドウォール部Ｂ４が、ハンド部２０の上側部３３と内保持部３２との間に入り込み易くなり、ハンド部２０の内保持部３２を、タイヤＢのビード部Ｂ１に取り付け易くなる（掛け易くなる）。
【０１２０】
（発明の実施の第３別形態）
ハンド部２０を、以下の説明のように構成してもよい。
図１８に示すように、ハンド部２０において、板材の基部３０が折り曲げられて、上側部３３及び接続部３４が備えられている。
【０１２１】
基部３０の下部３０ｃが折り曲げられて、ボス部５４が基部３０の下部３０ｃに連結されている。板材の支持部５５が基部３０の上部に連結されて、ボス部５４が支持部５５に連結されている。
【０１２２】
基部３０の下部３０ｃの開口部、支持部５５の開口部及びボス部５４に、支持軸５６が軸芯Ｐ２周りに回転自在に支持されており、抜け止め用のストッパーリング５７が支持軸５６の上端部に取り付けられ、支持軸５６の下部に外保持部３１が連結されている。
【０１２３】
コイルバネ５８が支持軸５６に外嵌されており、コイルバネ５８の上端部が支持軸５６に接続され、コイルバネ５８の下端部が基部３０の下部３０ｃのボス部５４に接続されている。
【０１２４】
これにより、外保持部３１及び支持軸５６が正逆に回転するのに伴って、コイルバネ５８が締められ、緩められるのであり、コイルバネ５８の締め方向での限度及び緩め方向での限度の範囲で、外保持部３１及び支持軸５６が正逆に回転可能である。
外保持部３１に荷物等を保持していない自由状態において、コイルバネ５８の付勢により、外保持部３１及び支持軸５６が持ち手部４０と同じ側（外側）に向く（戻る）。
【０１２５】
支持軸５６の上端部が上側部３３に当たる位置と、ストッパーリング５７が支持部５５に当たる位置との範囲で、外保持部３１及び支持軸５６は、軸芯Ｐ２に沿って移動自在である。外保持部３１に荷物等を保持していない自由状態において、コイルバネ５８の付勢により、ストッパーリング５７が支持部５５に当たる位置に、外保持部３１及び支持軸５６が位置する。
【０１２６】
これにより、荷物の大きさや形状に応じて、ハンド部２０に対する外保持部３１の向きを軸芯Ｐ２周りに適切な向きに変更して、荷物を外保持部３１に取り付ければよい（掛ければよい）。
【０１２７】
又は、ハンド部２０を持つ手をひねるようにして、外保持部３１の向きを適切な向きとし、外保持部３１を荷物に取り付けて（掛けて）、ハンド部２０を持つ手を、作業者にとって無理のない姿勢に戻せばよい。この場合、荷物に取り付けられた外保持部３１に対して、ハンド部２０（基部３０）が軸芯２周りに回転する状態となる。
荷物を外保持部３１から取り外すと、コイルバネ５８により、外保持部３１及び支持軸５６は持ち手部４０と同じ側（外側）に向く姿勢に自動的に戻る。
【０１２８】
以上の構成により、ハンド部２０において、
持ち手部４０が、基部３０の横側部分３０ｂに設けられて、外保持部３１が、持ち手部４０及び持ち手取付部（面ファスナ３６）と同じ側に向くように、基部３０に設けられた状態となっている。
複数の異なる向きで荷物を保持する保持部（外保持部３１）が備えられた状態となっている。
複数の異なる向きの各々に向くように、保持部（外保持部３１）が基部３０に姿勢変更自在に支持された状態となっている。
保持部（外保持部３１）が、基部３０の軸芯Ｐ２周りに回転自在に支持された状態となっている。
基部３０に対して事前に設定された特定の向きに、保持部（外保持部３１）が戻るように付勢する付勢部（コイルバネ５８）が備えられた状態となっている。
【０１２９】
（発明の実施の第４別形態）
前述の（発明の実施の第３別形態）のハンド部２０において、図１９に示すように、支持軸５６の下部に外保持部３１を連結することに加えて、内保持部３２を、支持軸５６の下部に外保持部３１の反対側に向くように連結してもよい。
【０１３０】
（発明の実施の第５別形態）
前述の（発明の実施の第３別形態）（発明の実施の第４別形態）のハンド部２０において、右向き、左向き、前向き、後向き、斜め上向き及び斜め下向き等の向きの異なる複数の連結部（図示せず）を、基部３０に設けて、外保持部３１（内保持部３２）を、複数の連結部のうちの所望の連結部に取り付け及び取り外しできるように構成してもよい。
【０１３１】
以上の構成により、ハンド部２０において、複数の異なる向きで荷物を保持する保持部（外保持部３１、内保持部３２）が備えられた状態となっている。
【０１３２】
（発明の実施の第６別形態）
ハンド部２０において、外保持部３１及び内保持部３２に加えて、前向きの前保持部（図示せず）や後向きの後保持部（図示せず）を備えてもよい。
この場合、外保持部３１及び内保持部３２、前保持部及び後保持部を同じ形状に形成するのではなく、各種の荷物に対応できるように、各々を異なる形状に形成すればよい。
【０１３３】
ハンド部２０において、面ファスナ３６に代えて、嵌めこみ部（図示せず）やバックル部（図示せず）を、持ち手取付部として設けてもよい。
【０１３４】
（発明の実施の第７別形態）
受け止め部４６において、下側の２本の取付部４８を廃止して、上側の２本の取付部４８を肩ベルト５に取り付けるように構成してもよい。
【０１３５】
（発明の実施の第８別形態）
受け止め部４６（前当て部４７及び取付部４８）を、可撓性の部材により形成するのではなく、硬質の合成樹脂等により形成してもよい。
【０１３６】
この構造によると、受け止め部４６を肩ベルト５及び取付ベルト４に取り付けた状態において、受け止め部４６（前当て部４７）を作業者の胸部及び腹部から少し前側に離れて位置させることができる。
【０１３７】
前項の（横向きに置かれたタイヤに対するハンド部の保持操作）（縦向きに置かれたタイヤに対するハンド部の保持操作）に記載のように、ハンド部２０により保持したタイヤＢのトレッド部Ｂ３を、受け止め部４６（前当て部４７）に当てた場合、タイヤＢの重量が、受け止め部４６を介して肩ベルト５及び取付ベルト４に掛かるのであり、作業者の胸部や腹部に直接に掛からない。
【０１３８】
（発明の実施の第９別形態）
上昇操作スイッチ２３及び下降操作スイッチ２４を、取付部２１に設けてもよい。
この構造によると、持ち手部４０をハンド部２０に連結して、ハンド部２０及び持ち手部４０を、取付部２１に取り付けるように構成してもよい（交換するように構成してもよい）。
【０１３９】
上昇操作スイッチ２３及び下降操作スイッチ２４を、ハンド部２０に設けてもよい。
この構造によると、持ち手部４０をハンド部２０に連結して、ハンド部２０及び持ち手部４０を取付部２１に連結してもよい。
【０１４０】
（発明の実施の第１０別形態）
上昇操作スイッチ２３を左の持ち手部４０（ハンド部２０、取付部２１）に設け、下降操作スイッチ２４を右のハンド部２０（ハンド部２０、取付部２１）に設けてもよい。
上昇操作スイッチ２３及び下降操作スイッチ２４の両方を、右又は左の一方の持ち手部４０（ハンド部２０、取付部２１）に設けてもよい。
【０１４１】
（発明の実施の第１１別形態）
アシスト器具において、右及び左のアーム部２を廃止して、１本のアーム部２を備えてもよい。
この構造によると、１本のアーム部２から２本のワイヤ１８を延出して、２本のワイヤ１８の一方に右の取付部２１（ハンド部２０）を接続し、２本のワイヤ１８の他方に左の取付部２１（ハンド部２０）を接続する。又は、１本のアーム部２から１本のワイヤ１８を延出し、１本のワイヤ１８の端部を二股状に分岐させて、分岐部分の一方に右の取付部２１（ハンド部２０）を接続し、分岐部分の他方に左の取付部２１（ハンド部２０）を接続する。
【０１４２】
（発明の実施の第１２別形態）
アシスト器具において、脚作用部３を備えないように構成してもよい。本体部１を、作業者の背中部ではなく、作業者の肩部に取り付けるように構成してもよい。
【０１４３】
昇降装置１７、上昇操作スイッチ２３及び下降操作スイッチ２４を廃止して、ワイヤ１８，１９を本体部１やアーム部２に連結し、ハンド部２０の位置を固定して、ハンド部２０の昇降を行わないように構成してもよい。
この場合、ワイヤ１８，１９に代えて、合成繊維製の細長いベルト（図示せず）（索状体に相当）（吊り下げ機構に相当）や、金属製のチェーン（図示せず）（索状体に相当）（吊り下げ機構に相当）を使用してもよい。
【産業上の利用可能性】
【０１４４】
本発明のアシスト器具は、作業者に装着されて作業者による荷物の保持を補助するアシスト器具に適用できる。
本発明の荷物保持用のハンド部は、作業者に装着されて作業者による荷物の保持を補助するアシスト器具に使用されるハンド部ばかりではなく、建物の天井部に支持されたウインチ等に使用されるハンド部にも適用できる。
本発明は、タイヤＢばかりではなく、タイヤＢ以外の荷物を保持するアシスト器具及び荷物保持用のハンド部にも適用できる。
【符号の説明】
【０１４５】
１    本体部
２    アーム部
１８  ワイヤ（索状体、吊り下げ機構）
１９  ワイヤ（索状体、吊り下げ機構）
２０  ハンド部
３０  基部
３１  外保持部
３２  内保持部
３６  面ファスナ（持ち手取付部）
４０  持ち手部
Ｂ    タイヤ（荷物）
【図１】
2019094143.tif 000003
【図２】
2019094143.tif 000004
【図３】
2019094143.tif 000005
【図４】
2019094143.tif 000006
【図５】
2019094143.tif 000007
【図６】
2019094143.tif 000008
【図７】
2019094143.tif 000009
【図８】
2019094143.tif 000010
【図９】
2019094143.tif 000011
【図１０】
2019094143.tif 000012
【図１１】
2019094143.tif 000013
【図１２】
2019094143.tif 000014
【図１３】
2019094143.tif 000015
【図１４】
2019094143.tif 000016
【図１５】
2019094143.tif 000017
【図１６】
2019094143.tif 000018
【図１７】
2019094143.tif 000019
【図１８】
2019094143.tif 000020
【図１９】
2019094143.tif 000021